(57)【要約】【課題】コストダウンを図る上で有利なレンズの配置構造およびカメラモジュール並びに電子機器を提供する。【解決手段】第１レンズ２０の第１係合面２００２に第２レンズ２２の第２係合面２２０２が係合することにより、第１レンズ２０と第２レンズ２２は互いの光軸が合致されると同時に、第１レンズ２０のレンズ部２０Ａと第２レンズ２２のレンズ部２２Ａとの光軸方向における間隔が決定される。第１レンズ２０と第２レンズ２２との位置決めがなされた状態で、第２レンズ２２の第３係合面２２１０に第３レンズ２４の第４係合面２４０２が係合することにより、第２レンズ２２と第３レンズ２４は互いの光軸が合致されると同時に、第２レンズ２２のレンズ部２０Ａと第３レンズ２４のレンズ部２４Ａとの光軸方向における間隔が決定される。【選択図】図４
2008185818.tif 000002
【特許請求の範囲】
【請求項１】
隣り合う２枚のレンズと、
前記２枚のレンズのうちの一方のレンズが他方のレンズに向かい合う面に形成された第１係合面と、
前記２枚のレンズのうちの他方のレンズが一方のレンズに向かい合う面に形成され前記第１係合面に係合可能な第２係合面とを備え、
前記第１係合面は、前記一方のレンズの外周面から半径方向の内側に位置した箇所で、前記一方のレンズの光軸を中心とし前記一方のレンズから離れるにつれて次第に半径が小さくなる環状のテーパ面で形成され、
前記第２係合面は、前記他方のレンズの外周面から半径方向の内側に位置した箇所で、前記他方のレンズの光軸を中心とし前記他方のレンズから離れるにつれて次第に半径が大きくなる環状のテーパ面で形成され、
前記２枚のレンズは、前記第１係合面と前記第２係合面とを係合させて配置されている、
ことを特徴とするレンズの配置構造。
【請求項２】
前記２枚のレンズのうちの一方のレンズが他方のレンズに向かい合う面で外周面寄りの箇所に、環状の第１突条が膨出形成され、
前記第１係合面は前記第１突条の外周部に形成され、
前記２枚のレンズのうちの他方のレンズが一方のレンズに向かい合う面で外周部に、環状の第２突条が膨出形成され、
前記第２係合面は前記第２突条の内周部に形成されている、
ことを特徴とする請求項１記載のレンズの配置構造。
【請求項３】
前記第１係合面の最も半径が大きい箇所である前記第１係合面の基端と前記一方のレンズの外周面との間に、前記他方のレンズに臨む第１端面部が位置し、
前記第２係合面の最も半径が大きい箇所である前記第２係合面の先端と前記他方のレンズの外周面との間に、前記一方のレンズに臨む第２端面部が位置し、
前記第１係合面と前記第２係合面とが係合した状態で、前記第１端面部と前記第２端面部との間に隙間が確保されている、
ことを特徴とする請求項１記載のレンズの配置構造。
【請求項４】
前記各レンズは、中央に位置するレンズ部と、前記レンズ部の半径方向外側に位置する取り付け部とを有し、
前記第１係合面は、前記一方のレンズの前記取り付け部に設けられ、
前記第２係合面は、前記他方のレンズの前記取り付け部に設けられている、
ことを特徴とする請求項１記載のレンズの配置構造。
【請求項５】
前記第１係合面の最も半径が大きい箇所である前記第１係合面の基端と前記一方のレンズの外周面との間に、前記他方のレンズに臨む第１端面部が位置し、
前記一方のレンズの半径方向に沿った前記第１端面部の幅は、０．２ｍｍ以上である、
ことを特徴とする請求項１記載のレンズの配置構造。
【請求項６】
前記第１係合面の最も半径が大きい箇所である前記第１係合面の基端と前記一方のレンズの外周面との間に、前記他方のレンズに臨む第１端面部が位置し、
前記一方のレンズの半径方向に沿った前記第１端面部の幅は、０．３ｍｍ以上である、
ことを特徴とする請求項１記載のレンズの配置構造。
【請求項７】
前記第１係合面および前記第２係合面が前記レンズの光軸と直交する平面に対する角度は、３０度以上７０度以下である、
ことを特徴とする請求項１記載のレンズの配置構造。
【請求項８】
前記第１係合面および前記第２係合面が前記レンズの光軸と直交する平面に対する角度は、４５度以上６０度以下である、
ことを特徴とする請求項１記載のレンズの配置構造。
【請求項９】
前記第１係合面と前記第２係合面とが係合した状態で、前記係合した部分の前記光軸に沿った長さは、３０μｍ以上１００μｍ以下である、
ことを特徴とする請求項１記載のレンズの配置構造。
【請求項１０】
前記第１係合面と前記第２係合面とが係合した状態で、前記係合した部分の前記光軸に沿った長さは、４０μｍ以上６０μｍ以下である、
ことを特徴とする請求項１記載のレンズの配置構造。
【請求項１１】
撮像素子と、
被写体像を前記撮像素子に導く撮影光学系とを備え、
前記撮影光学系は２枚以上のレンズを含んで構成され、
前記２枚のレンズのうちの一方のレンズが他方のレンズに向かい合う面に第１係合面が形成され、
前記２枚のレンズのうちの他方のレンズが一方のレンズに向かい合う面に前記第１係合面に係合可能な第２係合面が形成され、
前記第１係合面は、前記一方のレンズの外周面から半径方向の内側に位置した箇所で、前記一方のレンズの光軸を中心とし前記一方のレンズから離れるにつれて次第に半径が小さくなる環状のテーパ面で形成され、
前記第２係合面は、前記他方のレンズの外周面から半径方向の内側に位置した箇所で、前記他方のレンズの光軸を中心とし前記他方のレンズから離れるにつれて次第に半径が大きくなる環状のテーパ面で形成され、
前記２枚のレンズは、前記第１係合面と前記第２係合面とを係合させて配置されている、
ことを特徴とするカメラモジュール。
【請求項１２】
カメラモジュールが組み込まれた電子機器であって、
前記カメラモジュールは、
撮像素子と、
被写体像を前記撮像素子に導く撮影光学系とを備え、
前記撮影光学系は２枚以上のレンズを含んで構成され、
前記２枚のレンズのうちの一方のレンズが他方のレンズに向かい合う面に第１係合面が形成され、
前記２枚のレンズのうちの他方のレンズが一方のレンズに向かい合う面に前記第１係合面に係合可能な第２係合面が形成され、
前記第１係合面は、前記一方のレンズの外周面から半径方向の内側に位置した箇所で、前記一方のレンズの光軸を中心とし前記一方のレンズから離れるにつれて次第に半径が小さくなる環状のテーパ面で形成され、
前記第２係合面は、前記他方のレンズの外周面から半径方向の内側に位置した箇所で、前記他方のレンズの光軸を中心とし前記他方のレンズから離れるにつれて次第に半径が大きくなる環状のテーパ面で形成され、
前記２枚のレンズは、前記第１係合面と前記第２係合面とを係合させて配置されている、
ことを特徴とする電子機器。
【請求項１３】
前記電子機器は携帯電話機である、
ことを特徴とする請求項１２記載の電子機器。
【発明の詳細な説明】
【技術分野】
【０００１】
本発明はレンズの配置構造およびカメラモジュール並びに電子機器に関する。
【背景技術】
【０００２】
複数のレンズによって構成された撮影光学系によって導かれた被写体像を撮像素子で撮像する撮像装置などの電子機器が提供されている。
ところで、撮影光学系の光学性能を確保するため、複数のレンズはそれらの光軸が互いに一致するように位置決めする必要がある。
従来は、レンズを組み込む筒状部材（鏡筒）の内周面に、各レンズの外周面を当て付けて係合させることで各レンズの光軸方向と直交する方向の位置決めがなされている（特許文献１参照）。
【特許文献１】特開２００６−３０１６７２号公報
【発明の開示】
【発明が解決しようとする課題】
【０００３】
すなわち、従来では、例えば３枚のレンズを組み込む場合、３枚のレンズの光軸を合致させるため、筒状部材（鏡筒）の内周部の３箇所に当て付け面を形成する必要があった。
近年、カメラモジュールは携帯電話機のような小さい筐体に組み込まれてきており、レンズや筒状部材（鏡筒）も小さなものとなっている。
このような場合に従来と同様に、小さな筒状部材（鏡筒）の内周部の複数個所に、レンズの光軸を合致させるための当て付け面をそれぞれ形成していたのでは、加工コストが増大する。しかも、レンズの光軸を高精度に合致させるためには当て付け面の加工精度も高いものが要求され加工コストがより増大する不利がある。
本発明はこのような事情に鑑みなされたものであり、本発明の目的は、従来設けられていた筒状部材（鏡筒）の内周部のレンズの光軸を合致させるための複数の当て付け面を省略でき、コストダウンを図る上で有利なレンズの配置構造およびカメラモジュール並びに電子機器を提供することにある。
【課題を解決するための手段】
【０００４】
上述の目的を達成するため、本発明のレンズの配置構造は、隣り合う２枚のレンズと、前記２枚のレンズのうちの一方のレンズが他方のレンズに向かい合う面に形成された第１係合面と、前記２枚のレンズのうちの他方のレンズが一方のレンズに向かい合う面に形成され前記第１係合面に係合可能な第２係合面とを備え、前記第１係合面は、前記一方のレンズの外周面から半径方向の内側に位置した箇所で、前記一方のレンズの光軸を中心とし前記一方のレンズから離れるにつれて次第に半径が小さくなる環状のテーパ面で形成され、前記第２係合面は、前記他方のレンズの外周面から半径方向の内側に位置した箇所で、前記他方のレンズの光軸を中心とし前記他方のレンズから離れるにつれて次第に半径が大きくなる環状のテーパ面で形成され、前記２枚のレンズは、前記第１係合面と前記第２係合面とを係合させて配置されていることを特徴とする。
また本発明のカメラモジュールは、撮像素子と、被写体像を前記撮像素子に導く撮影光学系とを備え、前記撮影光学系は２枚以上のレンズを含んで構成され、前記２枚のレンズのうちの一方のレンズが他方のレンズに向かい合う面に第１係合面が形成され、前記２枚のレンズのうちの他方のレンズが一方のレンズに向かい合う面に前記第１係合面に係合可能な第２係合面が形成され、前記第１係合面は、前記一方のレンズの外周面から半径方向の内側に位置した箇所で、前記一方のレンズの光軸を中心とし前記一方のレンズから離れるにつれて次第に半径が小さくなる環状のテーパ面で形成され、前記第２係合面は、前記他方のレンズの外周面から半径方向の内側に位置した箇所で、前記他方のレンズの光軸を中心とし前記他方のレンズから離れるにつれて次第に半径が大きくなる環状のテーパ面で形成され、前記２枚のレンズは、前記第１係合面と前記第２係合面とを係合させて配置されていることを特徴とする。
また本発明の電子機器は、カメラモジュールが組み込まれたものであって、前記カメラモジュールは、撮像素子と、被写体像を前記撮像素子に導く撮影光学系とを備え、前記撮影光学系は２枚以上のレンズを含んで構成され、前記２枚のレンズのうちの一方のレンズが他方のレンズに向かい合う面に第１係合面が形成され、前記２枚のレンズのうちの他方のレンズが一方のレンズに向かい合う面に前記第１係合面に係合可能な第２係合面が形成され、前記第１係合面は、前記一方のレンズの外周面から半径方向の内側に位置した箇所で、前記一方のレンズの光軸を中心とし前記一方のレンズから離れるにつれて次第に半径が小さくなる環状のテーパ面で形成され、前記第２係合面は、前記他方のレンズの外周面から半径方向の内側に位置した箇所で、前記他方のレンズの光軸を中心とし前記他方のレンズから離れるにつれて次第に半径が大きくなる環状のテーパ面で形成され、前記２枚のレンズは、前記第１係合面と前記第２係合面とを係合させて配置されていることを特徴とする。
【発明の効果】
【０００５】
本発明によれば、隣り合う２枚のレンズの係合面を係合させることにより、２枚のレンズの光軸を合致させると同時に、２枚のレンズの光軸方向の位置決めも行うことができる。
したがって、レンズの位置決め精度を確保できることは無論のこと、従来のような筒状部材が不要となるため、加工コストや部品コストの削減を図る上で有利となり、また、小型化を図る上でも有利となる。
【発明を実施するための最良の形態】
【０００６】
まず、本発明のレンズの配置構造が適用されたカメラモジュール１０が組み込まれる電子機器１００について説明する。
図１は第１の実施の形態のカメラモジュール１０が組み込まれた電子機器１００の一例の説明図で、（Ａ）は第２の筐体１０６上に第１の筐体１０４が重ね合わされ閉じた状態の外観図、（Ｂ）は第２の筐体１０６に対して第１の筐体１０４が開いた状態の外観図である。
図１に示すように、本実施の形態では、カメラモジュール１０が組み込まれた電子機器１００は携帯電話機である。
電子機器１００は、ヒンジ部１０２によって揺動可能に連結された第１、第２の筐体１０４、１０６を有している。
第１の筐体１０４の内面には液晶表示パネルなどで構成されるディスプレイ１０８が設けられ、第２の筐体１０６の内面にはテンキーや機能キーなどの操作部１１０が設けられている。
カメラモジュール１０は、第１の筐体１０４の基端部に組み込まれ、撮像装置１００で撮像した画像はディスプレイ１０８に表示されるように構成されている。
図１（Ａ）において、符号１１２は、第１の筐体１０４に組み込まれたカメラモジュール１０のレンズ１２（図２参照）の前方に設けられた透明材料からなるレンズカバーを示す。
【０００７】
図２は電子機器１００の制御系の構成を示すブロック図である。
電子機器１００は、カメラモジュール１０、ディスプレイ１０８、操作部１１０に加えて、システムコントロール部１４０、メモリ媒体コントローラ１５０などを含んで構成されている。
カメラモジュール１０は、撮像部１３０を含んで構成され、撮像部１３０は基板１８（図３参照）に実装されている。
撮像部１３０は、カメラモジュール１０の撮像素子１４を用いて被写体の撮像を行い、撮像信号をメイン基板に搭載されたシステムコントロール部１４０に出力するものである。
すなわち、撮像部１３０では、撮像素子の出力信号に対し、ＡＧＣ（自動利得制御）、ＯＢ（オプティカルブラック）クランプ、ＣＤＳ（相関二重サンプリング）といった処理を行ってデジタル撮像信号を生成し、システムコントロール部１４０に出力する。
【０００８】
システムコントロール部１４０は、ＣＰＵ１４１、ＲＯＭ１４２、ＲＡＭ１４３、ＤＳＰ１４４、外部インターフェース１４５等が設けられている。
ＣＰＵ１４１は、ＲＯＭ１４２及びＲＡＭ１４３を用いて電子機器１０の各部に指示を送り、システム全体の制御を行うものである。
また、ＣＰＵ１４１は、操作部１１０からの入力信号を監視し、その入力内容に基づいて各種の動作制御を実行するものである。
ＤＳＰ１４４は、撮像部１２０からの撮像信号に対して各種の信号処理を行うことにより、所定のフォーマットによる静止画または動画の映像信号（例えばＹＵＶ信号等）を生成するものである。
外部インターフェース１４５には、各種エンコーダやＤ／Ａ変換器が設けられ、システムコントロール部１４０に接続される外部要素（本例では、ディスプレイ１０８、操作部１１０、メモリ媒体１５１）との間で、各種制御信号やデータをやり取りするものである。
【０００９】
メモリ媒体コントローラ１５０は、システムコントローラ１４０から出力される静止画または動画の映像信号を画像データとしてメモリ媒体１５１に記録し、また、メモリ媒体１５１から画像データを読み出してシステムコントローラ１４０に供給するものである。
メモリ媒体１５１は、例えば、電子機器１０に取り出し不能に組み込まれた内蔵メモリ、あるいは、電子機器１０に設けられた不図示のメモリスロットを介して装脱可能に装着されるメモリカードである。
【００１０】
次にカメラモジュール１０の構成について詳細に説明する。
図３はカメラモジュール１０の構成を示す断面図である。
カメラモジュール１０は、レンズ１２と、撮像素子１４と、ホルダ１６と、基板１８とを含んで構成されている。
【００１１】
図３に示すように、撮像素子１４は基板１８に搭載されている。
撮像素子１４は撮影光学系を構成するレンズ１２によって導かれた被写体像を撮像して撮像信号を生成するものである。
撮像素子１４として、ＣＣＤやＣ−ＭＯＳセンサあるいは従来公知のさまざまな撮像素子を用いることができる。
撮像素子１４は、多くの場合、被写体像が導かれる撮像面１４０２が形成された素子本体１４０４と、素子本体１４０４を収容する収容凹部１４０６を有するパッケージ１４０８と、撮像面１４０２を覆うように収容凹部１４０６を閉塞する透明なカバーガラス１４１０などを有している。
そして、パッケージ１４０８の底面が基板１８の表面に接着剤２により取り付けられ、パッケージ１４０８の底面またはパッケージ１４０８の側面下部に露出する接続端子と基板１８の表面の接続端子とが半田付けにより接続されている。
【００１２】
図３に示すように、ホルダ１６は、撮像素子１４が収容されたパッケージ１４０８を覆うように設けられている。
ホルダ１６は基板１８に接着剤２により取着されている。
ホルダ１６は、基板１８に取着されパッケージ１４０８を囲む下部大径部１６Ａと、下部大径部１６Ａに続く上部小径部１６Ｂとを有し、上部小径部１６Ｂの先部には開口１６Ｃが形成されている。
【００１３】
レンズ１２は上部小径部１６Ｂに取着されている。
図４はレンズ１２の構成を示す断面図である。
図４に示すように、レンズ１２は本実施の形態では、第１レンズ２０、第２レンズ２２、第３レンズ２４の３枚が用いられている。
それら第１レンズ２０、第２レンズ２２、第３レンズ２４は光軸を合致させてそれらの順に前方から後方に向けて（被写体側から撮像素子１４側に向けて）配置されている。
【００１４】
詳細に説明すると、第１レンズ２０は中央に位置するレンズ部２０Ａと、レンズ部２０Ａの半径方向外側に位置する取り付け部２０Ｂとを有している。
レンズ部２０Ａは、開口１６Ｃ（図３参照）に臨む凸状のレンズ面２０２０と、撮像素子１４（図３参照）に臨む平坦なレンズ面２０２２を有している。
第１レンズ２０が第２レンズ２２に向かい合う面に第１係合面２００２が形成されている。
詳細には、第１レンズ２０の取り付け部２０Ｂが第２レンズ２２に向かい合う面で外周面２００１寄りの箇所に、環状の第１突条２００４が膨出形成されている。
第１係合面２００２は第１突条２００４の外周部に形成されている。
第１係合面２００２は、第１レンズ２０の光軸を中心とし第１レンズ２０から離れるにつれて次第に半径が小さくなる環状のテーパ面で形成されている。
第１係合面２００２の最も半径が大きい箇所である第１係合面２００２の基端と第１レンズ２０の外周面２００１との間に、第２レンズ２２に臨む第１端面部２００６が位置している。
第１端面部２００６は、第１レンズ２０の光軸と直交する面内を延在している。
【００１５】
第２レンズ２２は中央に位置するレンズ部２２Ａと、レンズ部２２Ａの半径方向外側に位置する取り付け部２２Ｂとを有している。
レンズ部２２Ａは、第１レンズ２０に臨む平坦なレンズ面２２２０と、撮像素子１４に臨む窪んだレンズ面２２２２を有している。
第２レンズ２２が第１レンズ２０に向かい合う面に、第１係合面２００２に係合可能な第２係合面２２０２が形成されている。
詳細には、第２レンズ２２の取り付け部２２Ｂが第１レンズ２０に向かい合う面で外周面２２０１寄りの箇所に、環状の第２突条２２０４が膨出形成されている。
第２係合面２２０２は第２突条２２０４の内周部に形成されている。
第２係合面２２０２は、第２レンズ２２の光軸を中心とし第２レンズ２２から離れるにつれて次第に半径が大きくなる環状のテーパ面で形成されている。
第２係合面２２０２の最も半径が大きい箇所である第２係合面２２０２の先端と第２レンズ２２の外周面２２０１との間に、第１レンズ２０に臨む第２端面部２２０６が位置している。
第２端面部２２０６は、第２レンズ２２の光軸と直交する面内を延在している。
【００１６】
第２レンズ２２が第３レンズ２４に向かい合う面に第３係合面２２１０が形成されている。
詳細には、第２レンズ２２の取り付け部が第３レンズ２４に向かい合う面で外周面２２０１寄りの箇所に、環状の第３突条２２１２が膨出形成されている。
第３係合面２２１０は第３突条２２１２の外周部に形成されている。
第３係合面２２１０は、第２レンズ２２の光軸を中心とし第２レンズ２２から離れるにつれて次第に半径が小さくなる環状のテーパ面で形成されている。
第３係合面２２１０の最も半径が大きい箇所である第３係合面２２１０の基端と第２レンズ２２の外周面２２０１との間に、第３レンズ２４に臨む第３端面部２２１４が位置している。
第３端面部２２１４は、第２レンズ２２の光軸と直交する面内を延在している。
【００１７】
第３レンズ２４は中央に位置するレンズ部２４Ａと、レンズ部２４Ａの半径方向外側に位置する取り付け部２４Ｂとを有している。
レンズ部２４Ａは、第２レンズ２２に臨む平坦なレンズ面２４２０と、撮像素子１４（図３参照）に臨む凸状のレンズ面２４２２を有している。
第３レンズ２４が第２レンズ２２に向かい合う面に、第３係合面２２１０に係合可能な第４係合面２４０２が形成されている。
詳細には、第３レンズ２４の取り付け部２４Ｂが第２レンズ２２に向かい合う面で外周面２４０１寄りの箇所に、環状の第４突条２４０４が膨出形成されている。
第４係合面２４０２は第４突条２４０４の内周部に形成されている。
第４係合面２４０２は、第３レンズ２４の光軸を中心とし第３レンズ２４から離れるにつれて次第に半径が大きくなる環状のテーパ面で形成されている。
第４係合面２４０２の最も半径が大きい箇所である第４係合面２４０２の先端と第３レンズ２４の外周面２４０１との間に、第２レンズ２２に臨む第４端面部２４０６が位置している。
第４端面部２４０６は、第３レンズ２４の光軸と直交する面内を延在している。
【００１８】
第１、第２、第３レンズ２０、２２、２４は、従来のように、それらレンズ２０、２２、２４の外周面が筒状部材（鏡筒）の内周面に係合することで、それらの光軸が合致されるのではなく、図４に示すように、隣り合う第１、第２、第３レンズ２０、２２、２４が互いに係合することにより光軸が合致される。
まず、第１レンズ２０と第２レンズ２２の配置について説明する。
第１レンズ２０の第１係合面２００２に第２レンズ２２の第２係合面２２０２が係合することにより、第１レンズ２０と第２レンズ２２は互いの光軸が合致されると同時に、第１レンズ２０のレンズ部２０Ａと第２レンズ２２のレンズ部２２Ａとの光軸方向における間隔が決定される。
このように係合した状態でレンズ面２０２２とレンズ面２２２０の間に隙間が確保され、第１端面部２００６と第２端面部２２０６との間に隙間が確保される。
言い換えると、第１レンズ２０と第２レンズ２２とは、光軸と直交する方向の位置決めと、光軸方向の位置決めとが同時になされる。
【００１９】
次に、第２レンズ２２と第３レンズ２４の配置について説明する。
第１レンズ２０と第２レンズ２２との位置決めがなされた状態で、第２レンズ２２の第３係合面２２１０に第３レンズ２４の第４係合面２４０２が係合することにより、第２レンズ２２と第３レンズ２４は互いの光軸が合致されると同時に、第２レンズ２２のレンズ部２０Ａと第３レンズ２４のレンズ部２４Ａとの光軸方向における間隔が決定される。
このように係合した状態でレンズ面２２２２とレンズ面２４２０の間に隙間が確保され、第３端面部２２１４と第４端面部２４０６との間に隙間が確保される。
言い換えると、第２レンズ２２と第３レンズ２４とは、光軸と直交する方向の位置決めと、光軸方向の位置決めとが同時になされる。
この結果、第１、第２、第３レンズ２０、２２、２４は互いの光軸が合致され、また、レンズ部２０Ａ、２２Ａ、２４Ａの光軸方向の位置決めがなされる。言い換えると、レンズ２０、２２、２４同士が係合することでそれらの光軸が合致される。
この状態で第１、第２、第３レンズ２０、２２、２４を互いに接着剤により接着することでレンズ１２の組み立てが完了する。なお、このような接着剤としては、例えば、紫外線硬化型接着剤を用いることができる。
【００２０】
図３に示すように、組み立てられたレンズ１２を、ホルダ１６の上部小径部１６Ｂに取着する。
詳細には、上部小径部１６Ｂには、開口１６Ｃの周囲に撮像素子１４に臨む環状の係合面１６２０が形成され、また、係合面１６２０に続く円筒面状の係合面１６２２が形成されている。
そして、上部小径部１６Ｂの係合面１６２０に、第１レンズ２０の取り付け部２０Ｂの面が係合され、上部小径部１６Ｂの係合面１６２２に、第１レンズ２０の外周面２００１が係合されることで、上部小径部１６Ｂに対する第１、第２、第３レンズ２０、２２、２４の位置決めがなされ、この状態で接着剤によって第１レンズ２０が上部小径部１６Ｂに取着される。
なお、レンズ１２のホルダ１６への組み込みは、次のように第１、第２、第３レンズ２０、２２、２４を順番にホルダ１６に取着することで行ってもよい。
すなわち、図３、図４に示すように、第１レンズ２０を、係合面１６２０、取り付け部２０Ｂの面、係合面１６２２、外周面２００１を介して上部小径部１６Ｂに係合し接着剤で第１レンズ２０を取着する。
次いで、第１レンズ２０に対して第２レンズ２２を、第１、第２係合面２００２、２２０２を介して係合して接着剤で第１レンズ２０に第２レンズ２２を取着する。
次いで、第２レンズ２２に対して第３レンズ２４を、第３、第４係合面２２１０、２４０２を介して係合して接着剤で第２レンズ２２に第３レンズ２４を取着する。
このようにしてレンズ１２をホルダ１６に組み込んでもよい。
【００２１】
本実施の形態によれば、隣り合う２枚のレンズの係合面を係合させることにより、２枚のレンズの光軸を簡単かつ容易に合致させることができる。
したがって、従来のように、筒状部材（鏡筒）の内周部の複数の当て付け面に、各レンズの外周面を当て付けて係合させることで各レンズの光軸と直交する方向の位置決めを行う構造に比較して、レンズの位置決め精度を確保できることは無論のこと、筒状部材が不要となるため、加工コストや部品コストの削減を図る上で有利となり、また、小型化を図る上でも有利となる。特に従来の筒状部材にはレンズの位置決めを行うための当て付け面を設ける必要があり、レンズの光軸を高精度に合致させるために当て付け面の加工精度も高いものが要求され加工コストがより増大する不利があったのに対し、本実施の形態では、そのような筒状部材が不要となるため、加工コストや部品コストの削減を図る上でより一層有利となる。
また、本実施の形態によれば、隣り合う２枚のレンズの係合面を係合させることにより、２枚のレンズの光軸を合致させると同時に、２枚のレンズの光軸方向の位置決めも行うことができる。
したがって、レンズの光軸方向の位置決め用の調整機構を設けたり、専用の治具を用いてレンズの光軸方向の位置決めを行う必要が無いため、部品コストや組み立てコストの削減を図る上でより一層有利となる。
【００２２】
次にレンズの係合面の形状についてさらに説明する。
図５は係合面部分の拡大図、図６はレンズを射出成形で形成する場合のゲートの切断の説明図である。
図６に示すように、合成樹脂によってレンズＬを射出成形で形成する場合、ゲートＧからキャビティＣに溶融状態の合成樹脂を流し込むため、キャビティＣに充填された合成樹脂のうち、ゲートＧ近傍の部分は、ゲートＧに対応する突起を取り除くため、図６に示すカットラインＣＬにより切り落とされ、カット幅は０．２ｍｍは必要である。
第１レンズ２０を例にとって説明する。
図５に示すように、本実施の形態では、第１係合面２００２の最も半径が大きい箇所である第１係合面２００２の基端と外周面２００１との間に、第２レンズ２２に臨む第１端面部２００６が位置しており、第１レンズ２０の半径方向に沿った第１端面部２００６の幅Ｘは、０．２ｍｍ以上となっている。
そのため、第１係合面２００２がカットラインＣＬ（図６参照）によって切り落とされる不具合は生じない。
なお、第１レンズ２０の半径方向に沿った第１端面部２００６の幅が０．３ｍｍ以上であるとより好ましい。
このような事情は、第２レンズ２２および第３レンズ２４でも同様である。
【００２３】
また、本実施の形態では、第１係合面２００２および第２係合面２２０２がレンズの光軸と直交する平面に対する角度αは、３０度以上７０度以下となっている。
この角度αは小さいと、それら係合面２００２、２２０２の直径が大きくなり小型化に不利となる。逆に大きすぎると、寸法誤差が大きくなり嵌合精度の悪化につながる。
このような観点から、第１係合面２００２および第２係合面２２０２がレンズの光軸と直交する平面に対する角度αは、３０度以上７０度以下が好ましく、４５度以上６０度以下であるとより好ましい。
このような事情は、第２レンズ２２および第３レンズ２４でも同様である。
【００２４】
また本実施の形態では、第１係合面２００２と第２係合面２２０２とが係合した状態で、係合した部分の光軸に沿った長さＹは、３０μｍ以上１００μｍ以下となっている。
この長さＹが小さいと、係合面積を確保できず、嵌合の精度が悪化する。
また、強い力でレンズを挿入した場合、その力に耐え切れずレンズを破損する。
また、長さＹが大きすぎると、嵌合の精度を出しにくく、コストアップとなる。
したがって、この長さは３０μｍ以上１００μｍ以下が好ましい。
なお、この長さＹは、４０μｍ以上６０μｍ以下であるとより好ましい。
このような事情は、第２レンズ２２および第３レンズ２４でも同様である。
【００２５】
なお、実施の形態では、レンズ１２がホルダ１６に移動不能に取着される場合について説明したが、レンズ１２をホルダ１６に対して光軸方向に移動可能に配設してもよい。
また、実施の形態では、カメラモジュール１０が組み込まれる電子機器１００が携帯電話機である場合について説明したが、本発明のカメラモジュール１０は、例えば、ＰＤＡ、ノート型パーソナルコンピュータなどの携帯情報端末、あるいは、デジタルスチルカメラ、ビデオカメラなどの種々の電子機器に広く適用可能であり、さらに、本発明のレンズの配置構造は、種々の機器の光学系に広く適用可能である。
【図面の簡単な説明】
【００２６】
【図１】実施の形態のカメラモジュール１０が組み込まれた電子機器１００の一例の説明図で、（Ａ）は第２の筐体１０６上に第１の筐体１０４が重ね合わされ閉じた状態の外観図、（Ｂ）は第２の筐体１０６に対して第１の筐体１０４が開いた状態の外観図である。
【図２】電子機器１００の制御系の構成を示すブロック図である。
【図３】カメラモジュール１０の構成を示す断面図である。
【図４】レンズ１２の構成を示す断面図である。
【図５】係合面部分の拡大図である。
【図６】レンズを射出成形で形成する場合のゲートの切断の説明図である。
【符号の説明】
【００２７】
１０……カメラモジュール、１２……レンズ、１４……撮像素子、２０……第１レンズ、２００１……外周面、２００２……第１係合面、２２……第２レンズ、２２０１……外周面、２２０２……第２係合面、１００……電子機器。
【図１】
2008185818.tif 000003
【図２】
2008185818.tif 000004
【図３】
2008185818.tif 000005
【図４】
2008185818.tif 000006
【図５】
2008185818.tif 000007
【図６】
2008185818.tif 000008